(57)【特許請求の範囲】
【請求項１】
固定体の開口部に開閉可能に取付けられる開閉体のロック装置であって、
前記固定体の開口部又は前記開閉体に設けられたロック部と、
操作部材を介して動作して前記ロック部に係脱するロック部材と、
前記操作部材を回動支持する回動支持部を有するベース部材と、
前記ロック部材の、前記ロック部に対するロック状態を維持又は解除可能とするキーシリンダとを有しており、
前記操作部材は、前記回動支持部に回動支持される基端部と、先端側に設けられた把持部と、筒状をなし前記キーシリンダが収容されるシリンダ収容部とを有しており、前記把持部を前記ベース部材から離反する方向に回動させることで、前記ロック部材を前記ロック部に係合しない方向にスライドさせるように構成されており、
前記ベース部材は、前記シリンダ収容部が配置されるシリンダ配置空間と、前記操作部材の先端側に位置する壁部と、該壁部に形成され、前記シリンダ配置空間に連通する開口とを有しており、
前記キーシリンダは、前記シリンダ収容部に収容され軸方向に延びる本体部と、該本体部の外径方向に突出付勢されて、前記シリンダ収容部の裏側開口部に係合して、前記本体部を抜け止めするキープレートとを有し、
前記キープレートは、その付勢力に抗して押圧することで、前記シリンダ収容部の裏側開口部に係合しない方向に、引き込み可能とする押圧面を有しており、該押圧面は、前記シリンダ配置空間内に露出し、かつ、前記壁部の開口の縁部よりも、前記操作部材の基端側に配置されていることを特徴とする開閉体のロック装置。
【請求項２】
前記キープレートの押圧面は、前記壁部の開口に向けて配置されている請求項１記載の開閉体のロック装置。
【請求項３】
前記キーシリンダにより、前記ロック部材の、前記ロック部に対するロック状態が解除され、かつ、前記把持部を前記ベース部材から離反する方向に、前記操作部材を回動した状態で、前記押圧面は、前記ベース部材の外側から、前記壁部の開口を通して視認可能とされている請求項２記載の開閉体のロック装置。
【請求項４】
前記ベース部材の外側であって、前記壁部の面方向に直交する方向から、前記壁部の開口を見たときに、前記壁部の開口の内側に、前記押圧面の一部が位置するように構成されている請求項３記載の開閉体のロック装置。
【請求項５】
前記操作部材には、前記把持部を前記ベース部材から離反する方向に回動させる際に、前記壁部の開口の内側に係合して、前記操作部材の回動角度を規制する凸部を有しており、
前記ベース部材の外側から前記壁部の開口を見たときに、前記凸部の一側面と前記壁部の開口の内側との間に、前記キープレートが位置するように構成されている、請求項３又は４記載の開閉体のロック装置。
【発明の詳細な説明】
【技術分野】
【０００１】
本発明は、固定体の開口部に開閉可能に取付けられる開閉体を、閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部と開閉体との間には、開閉体を閉じたときにロックすると共に、開閉体を開くときにはロックを解除できるようにしたロック装置が設けられている。また、ロック装置としては、キーシリンダを備え、開閉体のロック状態をキーロック可能なものも知られている。【０００３】
キーシリンダを有するロック装置として、下記特許文献１には、開閉部材に取り付けられるハウジングユニットと、被取付部材に対して開閉部材をロック状態にするロック部材と、第２部材に設けられ、前記ロック部材の移動を規制可能なキーシリンダとを備えた、ロック装置が記載されている。前記ハウジングユニットは、ロータ部材を回転支持すると共に、結合孔を有するロア部材と、該ロア部材に取り外し可能に装着され、キーシリンダを備えるアッパー部材とから構成されている。また、前記アッパー部材は、ロア部材の結合孔に結合する結合爪を有するアッパー本体部材と、該アッパー本体部材に対して、軸支部及び軸受部を介して回動可能に取付けられ、キーシリンダが配置された操作部材とからなる。【０００４】
そして、例えば、車のキーの紛失等によって、グローブボックス等の開閉部材に配置されたキーシリンダを交換したい場合には、操作部材を全開状態にして、冶具によって結合爪を押して結合孔から外すことで、ロア部材とアッパー部材との結合を解除して、アッパー部材をロア部材から取外した後、更に、操作部材からキーシリンダを取外すことで、キーシリンダを交換することができる。
【先行技術文献】
【特許文献】
【０００５】
【特許文献１】特許第６１１４５７８号公報
【発明の概要】
【発明が解決しようとする課題】
【０００６】
上記特許文献１のロック装置においては、アッパー部材が操作部材とアッパー本体部材とからなる二部品構成とされているので、部品点数が多く、また、アッパー本体部材をロア部材から取外した後でなければ、操作部材からキーシリンダを取外すことができず、キーシリンダの取外し作業性の点で課題がある。【０００７】
したがって、本発明の目的は、部品点数を少なくしつつ、キーシリンダの取外し作業性を高めることができる、開閉体のロック装置を提供することにある。
【課題を解決するための手段】
【０００８】
上記目的を達成するため、本発明は、固定体の開口部に開閉可能に取付けられる開閉体のロック装置であって、前記固定体の開口部又は前記開閉体に設けられたロック部と、操作部材を介して動作して前記ロック部に係脱するロック部材と、前記操作部材を回動支持する回動支持部を有するベース部材と、前記ロック部材の、前記ロック部に対するロック状態を維持又は解除可能とするキーシリンダとを有しており、前記操作部材は、前記回動支持部に回動支持される基端部と、先端側に設けられた把持部と、筒状をなし前記キーシリンダが収容されるシリンダ収容部とを有しており、前記把持部を前記ベース部材から離反する方向に回動させることで、前記ロック部材を前記ロック部に係合しない方向にスライドさせるように構成されており、前記ベース部材は、前記シリンダ収容部が配置されるシリンダ配置空間と、前記操作部材の先端側に位置する壁部と、該壁部に形成され、前記シリンダ配置空間に連通する開口とを有しており、前記キーシリンダは、前記シリンダ収容部に収容され軸方向に延びる本体部と、該本体部の外径方向に突出付勢されて、前記シリンダ収容部の裏側開口部に係合して、前記本体部を抜け止めするキープレートとを有し、前記キープレートは、その付勢力に抗して押圧することで、前記シリンダ収容部の裏側開口部に係合しない方向に、引き込み可能とする押圧面を有しており、該押圧面は、前記シリンダ配置空間内に露出し、かつ、前記壁部の開口の縁部よりも、前記操作部材の基端部側に配置されていることを特徴とする。
【発明の効果】
【０００９】
本発明によれば、キーシリンダの本体部は、操作部材のシリンダ収容部に収容されると共に、このシリンダ収容部の裏側開口部にキープレートが係合し、かつ、キープレートは、ベース部材のシリンダ配置空間内に露出しているので、キーシリンダを操作部材のシリンダ収容部から取外したい場合には、シリンダ配置空間に連通した壁部の開口に、ベース部材外側から解除具を挿入して、キープレートの付勢力に抗してキープレートを押し込んで、シリンダ収容部の裏側開口部との係合を解除することで、シリンダ収容部の表側開口部からキーシリンダを取外すことができる。【００１０】
このように、ベース部材に設けた開口を通じて、キープレートとシリンダ収容部の裏側開口部との係合を解除することにより、シリンダ収容部からキーシリンダを取外すことができるので、特許文献１のロック装置のように、操作部材及びアッパー本体部材の２部品からなるアッパー部材を、ロア部材から取外した後でなければ、操作部材からキーシリンダを取外せない構造と比べて、アッパー本体部材のような部品がない分だけ、部品点数を削減することができる。
【図面の簡単な説明】
【００１１】
【図１】本発明に係る開閉体のロック装置の、一実施形態を示す分解斜視図である。
【図２】同ロック装置において、回転部材やロック部材等を組付ける前の状態の、分解斜視図である。
【図３】同ロック装置において、回転部材やロック部材等を組付けた状態の、拡大斜視図である。
【図４】同ロック装置において、ベース部材や操作部材等を組付ける前の状態の、分解斜視図である。
【図５】（ａ）はベース部材の拡大斜視図、（ｂ）は（ａ）とは異なる方向から、ベース部材を見た場合の、拡大斜視図である。
【図６】操作部材の拡大斜視図である。
【図７】キーシリンダの拡大斜視図である。
【図８】同ロック装置において、ベース部材や操作部材等を組付けた状態の、拡大斜視図である。
【図９】収容凹部にベース部材や操作部材を配置した状態の平面図である。
【図１０】図９のＡ−Ａ矢示線における断面図である。
【図１１】図９のＢ−Ｂ矢示線における断面図である。
【図１２】同ロック装置の底面図を示しており、（ａ）はキーロックの解除状態の底面図、（ｂ）はキーロック状態の底面図である。
【図１３】同ロック装置において、操作部材の回動状態を示す、断面説明図である。
【図１４】同ロック装置において、キーロックの解除状態における側面図である。
【図１５】同ロック装置において、キーシリンダの取外し状態を説明する側面図である。
【図１６】同ロック装置において、開閉体を閉じた状態にロックした場合の、平面説明図である。
【図１７】同ロック装置において、開閉体のロック状態を解除した場合の、平面説明図である。
【図１８】同ロック装置において、開閉体を閉じた状態にロックした場合の、正面説明図である。
【図１９】同ロック装置において、開閉体のロック状態を解除した場合の、正面説明図である。
【図２０】本発明に係る開閉体のロック装置の、他の実施形態を示しており、キーロックの解除状態における側面図である。
【図２１】同ロック装置において、キーシリンダの取外し状態を説明する側面図である。
【図２２】同ロック装置の底面図を示しており、（ａ）はキーロックの解除状態の底面図、（ｂ）はキーロック状態の底面図である。
【図２３】本発明に係る開閉体のロック装置の、更に他の実施形態を示しており、キーシリンダの取外し状態を説明する、斜視図である。
【図２４】同ロック装置の底面図を示しており、（ａ）はキーロックの解除状態の底面図、（ｂ）はキーロック状態の底面図である。
【発明を実施するための形態】
【００１２】
以下、図１〜１９を参照して、本発明に係る開閉体のロック装置の、一実施形態について説明する。
【００１３】
図１や図１６に示すように、この実施形態における開閉体のロック装置１０（以下、「ロック装置１０」という）は、例えば、車両のインストルメントパネル等の固定体１の開口部１ａに開閉可能に取付けられる、グローブボックス等の開閉体２を、開閉ロックするために用いられるものである。
【００１４】
この実施形態のロック装置１０は、開閉体２に形成された取付孔６と、固定体１の開口部１ａに設けられた一対のロック部１ｂ，１ｂと、取付孔６の表側から挿入されて取付けられるベース部材２０と、開閉体２に対してスライド可能に配置され、操作部材４０を介して動作してロック部１ｂ，１ｂに係脱する一対のロック部材５０，５０と、これらの一対のロック部材５０，５０のスライド動作を連動させるための回転部材６０と、各ロック部材５０をロック部１ｂに係合する方向に付勢する第１付勢手段７０と、基端部４１が回動支持部２９を介してベース部材２０に回動可能に取付けられ、把持部４２をベース部材２０に対して近接離反することで、ロック部材５０をスライド操作する操作部材４０とを有している。
【００１５】
なお、この実施形態においては、取付孔６は開閉体２に形成され、ロック部材５０は開閉体２にスライド可能に配置されているが、取付孔を固定体に形成すると共に、ロック部材を固定体側にスライド可能に配置してもよい。
【００１６】
更に図２に示すように、この実施形態における前記第１付勢手段７０は、トーションバネとなっており、巻回部７１と、この巻回部７１から延出した一対のアーム部７２，７２とからなる。この第１付勢手段７０は、回転部材６０に装着され回転付勢することで、回転部材６０に連結されるロック部材５０をロック部１ｂに係合する方向に付勢するが（図１８参照）、第１付勢手段としては、例えば、ロック部材の一方をロック部側に向けて引っ張る、引きばね等であってよく、ロック部材をロック部に係合する方向に付勢可能であればよい。
【００１７】
また、図８に示すように、操作部材４０には、キーシリンダ８０が配置されており、ロック部材５０，５０の、ロック部１ｂ，１ｂに対するロック状態を維持又は解除可能となっている。図７を参照すると、この実施形態におけるキーシリンダ８０は、操作部材４０の後述するシリンダ収容部４４（図６参照）に収容されると共に、同シリンダ収容部４４の軸方向に沿って延びる本体部８１を有している。この本体部８１は、略円筒状をなしたカバー８２と、その内周に回転可能に配置される回転体８３とから構成されている。
【００１８】
また、前記回転体８３の正面側（表面側）からは、図示しないキーを差し込むためのキー孔８３ａが形成されており（図４参照）、同回転体８３の背面側（裏面側）からは、キー突起８４が一体的に突設されている。そのため、キー孔８３ａにキーを差し込んで、回転体８３を回転させることで、それに追随してキー突起８４が回動するようになっている。
【００１９】
更に、本体部８１を構成する回転体８３の背面側外周からは、図示しない付勢手段によって、本体部８１の外径方向に向けて突出付勢されるキープレート８５が設けられている。図１１に示すように、このキープレート８５は外径方向に突出した状態で、シリンダ収容部４４の裏側開口部４４ｂ（図６参照）に係合して、本体部８１を抜け止め保持するようになっている。また、キープレート８５は、その外周面が円弧状に形成されており、同外周面が、図１３や図１５に示すような解除具１００によって押圧されて、キープレート８５をシリンダ収容部４４の裏側開口部４４ｂに係合しない方向に引き込み可能とする、押圧面８５ａをなしている。
【００２０】
なお、この実施形態では、上述したように、例えば、インストルメントパネルの開口部に箱状のグローブボックスが回動可能に取付けられた構造に適用されているが（この場合、インストルメントパネルが「固定体」、グローブボックスが「開閉体」をなす）、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００２１】
図１や図１６に示すように、この実施形態では、固定体１の開口部１ａの幅方向の両側内面に、孔状をなしたロック部１ｂ，１ｂが設けられている。また、固定体１の開口部１ａの両側部には、開閉体回動溝１ｃ，１ｃが形成されている（図１参照）。なお、ロック部は、孔状でなくとも、凹状や、突起状、枠状等であってもよく、また、固定体の開口部ではなく、開閉体に設けてもよく、特に限定はされない。
【００２２】
図１に示すように、この実施形態における開閉体２は、車室内方側に配置されるアウター部材３と、その裏側に配置されるインナー部材４とから構成されている。なお、開閉体としては、アウター部材３とインナー部材４との２部材構成ではなく、一枚の板材からなる構成であってもよい。また、アウター部材３の幅方向一側であって、その上方には、横長の長方形状の凹状をなした収容凹部５が形成されている。図９〜１１に示すように、この収容凹部５に操作部材４０が収容されるようになっている。
【００２３】
また、収容凹部５の長手方向の一側部に、開閉体２の幅方向に沿って長く延びる、長孔状をなした取付孔６が形成されている（図１参照）。なお、取付孔は長孔状をなしていなくともよく、例えば、略正方形状をなした孔や、略楕円形状をなした孔、略小判状をなした孔等であってもよい。
【００２４】
また、上記取付孔６の表側から、ベース部材２０が挿入されて取付けられるようになっているが、ここでいう「表側」又は「表面側」とは、車両等の固定体の開口部から、開閉体が開く方向に位置する面を意味する。なお、固定体が車両に設けられている場合には、車両の車内空間側を、「表側」又は「表面側」としてもよい。また、「裏側」又は「裏面側」とは、前記「表側」又は「表面側」とは反対側の面、すなわち、開閉体が閉じる方向に位置する面を意味する。なお、「表側」、「表面側」、「裏側」、「裏面側」とは、取付孔のみならず、本実施形態で説明する他の部材（操作部材４０等）においても、同様の意味である。
【００２５】
一方、インナー部材４は、図１に示すように、全体として上方が開口した箱状をなしている。また、インナー部材４の、アウター部材３側に対向配置される表面側（正面側）であって、その上方部分には、前記一対のロック部材５０，５０をスライド可能に配置する、横長の凹状をなしたロック配置凹部４ａが設けられている。図１６や図１７に示すように、このロック配置凹部４ａの長手方向両側には、ロック挿出孔４ｂ，４ｂがそれぞれ形成されている。また、図１に示すように、インナー部材４の奥側の両側部外面からは、ストッパ４ｃ，４ｃが突設されており、これらのストッパ４ｃ，４ｃが、固定体１のガイド孔１ｃ，１ｃにそれぞれ挿入されて、固定体１の開口部１ａに対する開閉体２の開閉角度を規制するようになっている。
【００２６】
また、図１６及び図１７に示すように、前記ロック配置凹部４ａの底面の表面側からは、回転部材６０を回転支持するための、回転部材支持部７が突設されている。図２や図３を併せて参照すると、この回転部材支持部７は、正面側が開口したドッグハウスのような箱型状をなしており、その天井面に円形孔状の支持孔７ａが形成されている。この回転部材支持部７に隣接した位置には、バネ係止壁８が立設している。このバネ係止壁８には、係止溝８ａが形成されており、この係止溝８ａに、第１付勢手段７０の一方のアーム部７２が係止される。
【００２７】
また、図１や図２に示すように、この実施形態における一対のロック部材５０，５０は、両者同一形状となっており、基端部５１側がクランク状に屈曲すると共に、先端側に向けて直線状に延びており、先端部５２がロック部１ｂに係脱するようになっている（図１６〜１９参照）。なお、図２に示すように、ロック部材５０の基端部５１には、凹状をなした嵌合凹部５１ａが設けられており、この嵌合凹部５１ａに、回転部材６０の後述するロック連結部６４が嵌合する部分となっている。また、各ロック部材５０の先端側には、四角枠状をなした枠状部５３が設けられている。
【００２８】
更に図２に示すように、回転部材６０は、略ひし形状をなした本体６１と、この本体６１の裏側中央から突設した略筒状の回転支持部６２と、本体６１の表側中央から突設した略筒状のバネ装着部６３と、本体６１の裏側であって、長手方向両端から突設した球状のロック連結部６４，６４と、本体６１の表側であって、長手方向両端から突設したバネ係止片６５，６５とからなる。また、回転支持部６２の外周には、スリットを介して撓み可能な係合片６２ａ，６２ａが形成されている。
【００２９】
各ロック連結部６４を、各ロック部材５０の基端部５１に設けられた嵌合凹部５１ａに嵌合させて連結することで、回転部材６０の長手方向両端部に一対のロック部材５０，５０の基端部５１が回動可能に連結されるようになっている。また、回転支持部６２を、上述した回転部材支持部７の支持孔７ａに挿入することで、係合片６２ａ，６２ａが支持孔７ａの裏側周縁に係止して、回転支持部６２に対して回転部材６０が回転可能に支持されると共に、抜け止め保持される（図３参照）。そして、回転部材６０が所定方向に回転することで、同回転部材６０を介して、一対のロック部材５０，５０が同期してスライドするようになっている。
【００３０】
また、バネ装着部６３を、第１付勢手段７０の巻回部７１内に挿入することで、第１付勢手段７０が回転部材６０に装着される。そして、第１付勢手段７０の他方のアーム部７２を、一方のバネ係止片６５に係止させることで、図１８の矢印Ｅ１方向に示すように、回転部材６０が回転付勢され、それによって一対のロック部材５０，５０の先端部５２，５２が、一対のロック部１ｂ，１ｂに係合する方向（図１８の矢印Ｅ２方向）に付勢されるようになっている。なお、一対のロック部材５０，５０は、上述したように、開閉体２を構成するインナー部材４の、ロック配置凹部４ａ内にスライド可能に配置されるが、その先端部５２，５２は、ロック配置凹部４ａに設けたロック挿出孔４ｂ，４ｂから挿出する。
【００３１】
取付孔６の表側から挿入されて取付けられるベース部材２０は、この実施形態の場合、図２や図３に示すように、一方向に長い長尺の板状をなした底壁２１と、この底壁２１の長辺に沿った両側辺の周縁から立設した一対の側壁２２,２２と、底壁２１の長手方向の一端側に配置され、一対の側壁２２，２２どうしを連結する壁部２３と、底壁２１の長手方向の他端側に配置され、一対の側壁２２，２２どうしを連結する壁部２４とからなり、底壁２１とは反対の上方側が開口し、内部にシリンダ配置空間２５が画成された、略長尺箱状をなしている。前記シリンダ配置空間２５には、操作部材４０の後述するシリンダ収容部４４（図６参照）が配置されるようになっている。
【００３２】
なお、底壁２１の長手方向の一端は、前述した取付孔６の長手方向一端と同じ向きに配置され、底壁２１の長手方向の他端は、取付孔６の長手方向他端と同じ向きに配置されるようになっている。
【００３３】
また、前記壁部２３は、操作部材４０の先端側に位置しており（すなわち、後述する把持部４２側に位置する）、本発明における「壁部」をなしている。なお、前記壁部２４は、操作部材４０の基端部４１側に位置している。また、前記壁部２３には、前記シリンダ配置空間２５に連通する開口２８が形成されている。この実施形態における壁部２３は、図１４に示すように、前記底壁２１から立設した略コ字枠状をなしており、その内側部分に略長孔状の開口２８が設けられている。
【００３４】
前記開口２８は、図１３に示すように、操作部材４０の後述する凸部４７が係合して、操作部材４０の回動角度を規制すると共に、シリンダ収容部４４の裏側開口部４４ｂとキープレート８５との係合状態を解除するための、解除具１００をベース部材外側からシリンダ配置空間２５内に挿入するためのものである。なお、開口としては、例えば、略楕円孔状や略小判孔状等であってもよく、上記目的（操作部材の回動規制及び解除具挿入）を達成できれば、どのような形状でもよい。
【００３５】
また、前記底壁２１の長手方向他端側には、操作部材４０の後述する作動レバー４５を、スライド移動可能となるように受け入れる、スライド溝２１ａが前記シリンダ配置空間２５に連通して形成されている。図５や図１２に示すように、底壁２１には、上記スライド溝２１ａの幅方向一側部から、細溝状をなしたキー溝３１が、底壁２１の長手方向一端側に向けて延設されており、このキー溝３１の長手方向他端側には、突片状をなしたキー当接部３２が設けられている。なお、キー溝３１は、スライド溝２１ａに連通している。
【００３６】
また、壁部２３の底壁２１側であって、その幅方向（長手方向に直交する方向）両側からは、取付孔６の長手方向一端の裏側周縁に係合する、一対のフック２６，２６が突設されている。更に、ベース部材２０の壁部２４の外周の所定高さ位置からは、取付孔６の他端側に対向配置される、薄肉フランジ状の壁部２７がベース部材外方に向けて突設されている。また、一対の側壁２２，２２の上方であって壁部２４寄りの外面には、操作部材４０の基端部４１を回動支持する、略円弧突起状をなした回動支持部２９が突設されている。更に、壁部２４の幅方向両側には、取付孔６の裏側周縁に係合する、弾性変形可能な一対の弾性係合爪３０，３０が設けられている。
【００３７】
また、図５（ｂ）に示すように、壁部２４側の幅方向中央からは、バネ支持部３３が設けられている。このバネ支持部３３の表面（操作部材４０との対向面）からは、第２付勢手段７５の他端を支持する、バネ支持突部３３ａが突設されている。
【００３８】
そして、図１０に示すように、第２付勢手段７５の他端が、ベース部材２０側のバネ支持突部３３ａで支持されると共に、第２付勢手段７５の一端が、操作部材４０側の後述するバネ支持突部４６で支持されて、両部材の間で圧縮状態で保持されることとなり、操作部材４０の基端部４１側が、ベース部材２０から離反する方向に回動付勢される。そのため、図１３に示すように、操作部材４０の把持部４２をベース部材２０から離反する方向に回動した後、手を把持部４２から離すと、把持部４２をベース部材２０に近接する方向に付勢して、収容凹部５から突出しないように保持するようになっている。
【００３９】
また、図５に示すように、ベース部材２０の側壁２２，２２の外面であって、回動支持部２９，２９よりも壁部２３側には、コ字状のスリット３５ａを介して、撓み可能な弾性係合片３５，３５が形成されている。更に側壁２２，２２の壁部２３寄りの外面であって、前記弾性係合片３５，３５に隣接する位置には、リブ３６，３６が突設している。そして、取付孔６の長手方向に沿った両側部の裏側周縁に、一対の弾性係合片３５，３５が係合すると共に、同取付孔６の両側部の表側周縁に、一対のリブ３６，３６が係合するようになっている（図１１参照）。
【００４０】
更に図５（ｂ）に示すように、ベース部材２０の一端側の角部には、ダンパー装着孔３８が形成されている。図４に示すように、このダンパー装着孔３８には、ゴム製のダンパー３９が装着されて、操作部材４０の回動時における打音の低減が図られるようになっている。
【００４１】
上記回動支持部２９，２９を介して、ベース部材２０に回動可能に取付けられる操作部材４０は、この実施形態の場合、図６や図８に示すように、全体として一方向に長い長尺状をなしている。この操作部材４０は、基端部４１がベース部材２０の回動支持部２９に回動支持され、長手方向の先端部には、操作部材４０を回動操作する際に、操作者が把持する部分となる把持部４２が設けられている。また、基端部４１の両側（長手方向に直交する幅方向両側）には、略円弧形の溝状をなした溝部４３，４３が形成されており、これらの溝部４３，４３に、ベース部材２０の円弧突起状をなした回動支持部２９，２９がそれぞれ挿入されることで、操作部材４０の基端部４１が、回動支持部２９を介して回動可能に支持されるようになっている。
【００４２】
そして、図１３に示すように、操作部材４０は、ベース部材２０の回動支持部２９に回動支持された基端部４１を支点として、先端部側の把持部４２を、ベース部材２０から離反したり近接したりする方向に回動させることができるようになっている。
【００４３】
また、図６に示すように、操作部材４０の基端部４１寄りの位置であって、その裏面側からは、円筒状をなしたシリンダ収容部４４が突設されている。図４に示すように、このシリンダ収容部４４の、操作部材４０の表面側には、円形状をなした表側開口部４４ａが開口して設けられており、この表側開口部４４ａからキーシリンダ８０を挿入可能となっている。また、シリンダ収容部４４の突出方向先端側にも、円形状をなした裏側開口部４４ｂが開口して設けられており、キープレート８５が係脱可能となっている。
【００４４】
上記シリンダ収容部４４にキーシリンダ８０を収容して抜け止め固定する際には、キープレート８５を図示しない付勢手段の付勢力に抗して押し込んだ状態としてから、キー突起８４側から表側開口部４４ａを通して、シリンダ収容部４４内にキーシリンダ８０を挿入していく。そして、シリンダ収容部４４内に本体部８１が収容され、シリンダ収容部４４の裏側開口部４４ｂからキープレート８５が抜け出ると、キープレート８５が外径方向に突出付勢されて、図１１に示すように、シリンダ収容部４４の裏側開口部４４ｂに、キープレート８５が係合するので、シリンダ収容部４４にキーシリンダ８０を抜け止め状態で収容可能となる。なお、シリンダ収容部４４へのキーシリンダ８０の収容状態では、キー突起８４は、ベース部材２０のキー溝３１及びキー当接部３２の間を移動可能に配置されるようになっている（図１２参照）。
【００４５】
更に図６に示すように、操作部材４０の基端部４１側の裏面であって、前記シリンダ収容部４４に隣接した位置からは、操作部材４０の把持部４２がベース部材２０から離反する方向に回動した際に、ロック部材５０の先端部５２を固定体１のロック部１ｂに係合しない方向にスライドさせる、作動レバー４５が突設されている。この作動レバー４５は、横断面が略コ字枠状をなして、所定長さで延出している。なお、この作動レバー４５は、ベース部材２０のシリンダ配置空間２５内に挿入されると共に、底壁２１に形成したスライド溝２１ａに挿通されて、同スライド溝２１ａ内を、ベース部材２０の長手方向に沿ってスライド可能となっている。また、作動レバー４５の延出方向先端部は、スライド溝２１ａから挿出されて、図１８に示すように、一方のロック部材５０の枠状部５３内に入り込むようになっている。
【００４６】
そして、図１３や図１７に示すように、操作部材４０の把持部４２をベース部材２０から離反する方向に回動させることによって、その作動レバー４５が、一方のロック部材５０の枠状部５３内面を押圧して、図１９に示すように、第１付勢手段７０に起因する付勢力に抗して、一方のロック部材５０の先端部５２をロック部１ｂから係合しない方向に引き込むと共に、それと連動（同期）して、回転部材６０を介して、他方のロック部材５０の先端部５２を、ロック部１ｂから係合しない方向に引き込むことができ、それによって、固定体１の開口部１ａを閉じた開閉体２のロック状態を解除可能となっている。
【００４７】
なお、この実施形態では、上述したように操作部材４０を回動操作すると、一方のロック部材５０をスライドさせ、回転部材６０を介して他方のロック部材５０をスライドさせるようになっているが、操作部材４０の回動操作によって回転部材６０を回転させて、それによってロック部材５０をスライドさせるように構成してもよい。
【００４８】
また、このロック装置１０においては、上記のように、操作部材４０の把持部４２を、ベース部材２０から離反したり近接したりする方向に回動させることができるようになっているが、この操作部材４０の回動動作は、キーシリンダ８０の動作によって規制されるようになっている。
【００４９】
すなわち、図１２（ａ）に示すように、キー突起８４が、ベース部材２０のキー溝３１に位置した状態では、把持部４２をベース部材２０から離反する方向に、操作部材４０を回動させることができる（操作部材４０の回動自由状態）。その結果、作動レバー４５を介して、一方のロック部材５０の先端部５２をロック部１ｂに係合しない方向にスライドさせることができるので、ロック部材５０によるロック部１ｂに対するロック状態を解除可能となる。
【００５０】
一方、回転体８３を回転させて、図１２（ｂ）に示すように、キー突起８４が、ベース部材２０のキー当接部３２に近接した状態では、把持部４２をベース部材２０から離反する方向に、操作部材４０を回動させようとしても、キー突起８４がキー当接部３２に当接するので、操作部材４０の回動が規制される（操作部材４０の回動規制状態）。その結果、いずれのロック部材５０もスライド操作不能となり、ロック部材５０によるロック部１ｂに対するロック状態が維持される。
【００５１】
更に図６に示すように、操作部材４０の基端部４１の裏面側の最基端からは、コイルスプリングからなる第２付勢手段７５の一端を支持する、バネ支持突部４６が突設されている。
【００５２】
また、図６に示すように、操作部材４０のシリンダ収容部４４の、作動レバー４５とは反対側の開口周縁部には、凸部４７が突設されている。図１３に示すように、この凸部４７は、操作部材４０の把持部４２をベース部材２０から離反する方向に回動させたときに、ベース部材２０の壁部２３に設けた開口２８の内側２８ａ（開口２８の開口方向に直交する方向であって、ベース部材内方に向く側部を意味する）に係合して、その回動角度を規制するようになっている。
【００５３】
上記のように、キーシリンダ８０を収容保持するシリンダ収容部４４が、ベース部材２０のシリンダ配置空間２５に配置されているが、更にこのロック装置１０においては、図１０に示すように、シリンダ収容部４４に収容されたキーシリンダ８０のキープレート８５の押圧面８５ａ（キープレート８５の付勢力に抗して押圧することで、シリンダ収容部４４の裏側開口部４４ｂに係合しない方向に引き込み可能とする部分）は、ベース部材２０のシリンダ配置空間２５内に露出し、かつ、壁部２３に形成された開口２８の縁部よりも、操作部材４０の基端部４１側に配置されている（押圧面８５ａは、開口２８の縁部よりも、シリンダ配置空間２５内に引き込んだ位置に配置されている、とも言える）。
【００５４】
すなわち、図１０に示すように、開口２８は、壁部２３の板厚方向外側（操作部材４０の把持部４２側）に位置する外側縁部２８ｂと、壁部２３の板厚方向内側（操作部材４０の基端部４１側）に位置する内側縁部２８ｃとを有するが、キープレート８５の押圧面８５ａは、このいすれの縁部２８ｂ，２８ｃよりも、操作部材４０の基端部４１側に配置されている。このように、開口２８の縁部よりキープレート８５の押圧面８５ａが、操作部材４０の基端部４１側に配置されているので、開口２８の外側から解除具１００をシリンダ配置空間２５内に向けて挿入する際に、開口２８の内側２８ａ、又は、外側縁部２８ｂ、内側縁部２８ｃのいずれかによってガイドすることが可能となっている。また、この実施形態においては、図１０に示すように、キープレート８５の外周の押圧面８５ａは、ベース部材２０の開口２８に向けて配置されている。
【００５５】
更に、前記キープレート８５は、キーシリンダ８０により、ロック部材５０の、ロック部１ｂに対するロック状態が解除され、かつ、把持部４２をベース部材２０から離反する方向に、操作部材４０を回動した状態で、前記開口２８を通じて、解除具１００で押し込み可能な位置となっている。具体的には、図１２（ａ）に示すように、キー突起８４がベース部材２０のキー溝３１に位置しており、キーシリンダ８０による、ロック部材５０のロック部１ｂに対するロック状態が解除され、かつ、そのキーロック解除時に、図１３に示すように、把持部４２をベース部材２０から離反する方向に、操作部材４０を回動した状態において、前記キープレート８５は、壁部２３に形成した開口２８を通じて、解除具１００で押し込み可能な位置となるように配置されている。
【００５６】
また、図１４に示すように、キーシリンダ８０により、ロック部材５０のロック部１ｂに対するロック状態が解除され、かつ、把持部４２をベース部材２０から離反する方向に、操作部材４０を回動した状態で、キープレート８５の押圧面８５ａは、ベース部材２０の外側から、開口２８を通して視認可能とされている。
【００５７】
更に、キーシリンダ８０により、ロック部材５０のロック部１ｂに対するロック状態が解除され、かつ、把持部４２をベース部材２０から離反する方向に、操作部材４０を回動した状態において、ベース部材２０の外側であって、壁部２３の面方向に直交する方向（図１０に示すように、壁部２３の面方向Ｍに対して直交する方向Ｖ）から、図１４に示すように、前記開口２８を見たときに、開口２８の内側２８ａに、キープレート８５の押圧面８５ａの一部が位置するように構成されている。
【００５８】
また、この実施形態では、上述したように、操作部材４０に設けられ、把持部４２をベース部材２０から離反する方向に回動させたときに、開口２８の内側ａに係合して、操作部材４０の回動角度を規制する凸部４７が設けられているが、この凸部４７と、開口２８と、キープレート８５の押圧面８５ａとは、次のような関係となっている。すなわち、キーシリンダ８０により、ロック部材５０のロック部１ｂに対するロック状態が解除され、かつ、把持部４２をベース部材２０から離反する方向に、操作部材４０を回動した状態において、図１４に示すように、ベース部材２０の外側から開口２８を見たときに、凸部４７の一側面４７ａと、開口２８の内側２８ａとの間に、キープレート８５が位置するように構成されている。
【００５９】
次に、上記構成からなるロック装置１０の作用効果について説明する。
【００６０】
このロック装置１０においては、固定体１の開口部１ａから開閉体２が開いた状態から開閉体２を閉じて、一対のロック部材５０，５０の先端部５２，５２が、固定体１のロック部１ｂ，１ｂに係合することで、開閉体２が閉じた状態にロックされる（図１６及び図１８参照）。
【００６１】
この状態から、図１３や図１７に示すように、操作部材４０の把持部４２をベース部材２０から離反する方向に回動させると、図１９に示すように、一方のロック部材５０の先端部５２を、回転部材６０の回転付勢力に抗して、ロック部１ｂから係合しない方向に引き込むと共に、それと連動して回転部材６０を介して、他方のロック部材５０の先端部５２を、ロック部１ｂから係合しない方向に引き込むので、開閉体２のロック状態を解除して、固定体１の開口部１ａから開閉体２を開くことができる。
【００６２】
そして、キーシリンダ８０を操作部材４０のシリンダ収容部４４から取外したい場合には、まず、キー突起８４が、ベース部材２０のキー溝３１に位置して（図１２（ａ）参照）、キーシリンダ８０により、ロック部材５０の、ロック部１ｂに対するロック状態が解除された状態から、把持部４２をベース部材２０から離反する方向に、操作部材４０を回動させる。
【００６３】
その後、図１３に示すように、ベース部材２０の壁部２３の開口２８に、ベース部材２０の外側から、キープレート８５に狙いを定めて、例えば、棒状に延びる解除具１００を挿入していく。ここでは、図１５に示すように、操作部材４０の凸部４７の一側面４７ａと、開口２８の内側２８ａとの間に、解除具１００を挿入していく。すると、開口２８の内側２８ａや凸部４７の一側面４７ａにより、解除具１００がガイドされつつ挿入されていく。そして、解除具１００によって、キープレート８５の押圧面８５ａを押圧して、その付勢力に抗してキープレート８５を押し込んで、シリンダ収容部４４の裏側開口部４４ｂに係合しない方向に引き込ませることで、キープレート８５とシリンダ収容部４４の裏側開口部４４ｂとの係合が解除される。この状態を維持しながら、キーシリンダ８０をシリンダ収容部４４の表側開口部４４ａから引き抜くことで、シリンダ収容部４４からキーシリンダ８０を取外すことができる。
【００６４】
このように、このロック装置１０においては、上述したように、ベース部材２０に設けた開口２８を通じて、キープレート８５とシリンダ収容部４４の裏側開口部４４ｂとの係合を解除することにより、シリンダ収容部４４からキーシリンダ８０を取外すことができるので、特許文献１のロック装置のように、操作部材及びアッパー本体部材の２部品からなるアッパー部材を、ロア部材から取外した後でなければ、操作部材からキーシリンダを取外せない構造と比べて、アッパー本体部材のような部品がない分だけ、部品点数を削減することができる。
【００６５】
また、図１０に示すように、このロック装置１０では、キープレート８５の押圧面８５ａは、ベース部材２０の壁部２３に形成された開口２８の縁部（外側縁部２８ｂ及び内側縁部２８ｃ）よりも、操作部材４０の基端部４１側に配置されている。そのため、壁部２３の開口２８に、ベース部材外側から解除具１００を挿入する際に、開口２８の縁部２８ｂ，２８ｃや内側２８ａで解除具１００をガイドしつつ挿入することができ、解除具１００を挿入しやすくすることができ、キープレート８５とシリンダ収容部４４の裏側開口部４４ｂとの係合解除を容易にして、キーシリンダ８０の取外し作業性を高めることができる。或いは、解除具１００を開口２８に挿入した後に、キープレート８５を押し込む際に、開口２８の縁部２８ｂ，２８ｃや内側２８ａに解除具１００を当てて、こじったり、梃子の原理を利用したりして、押し込み力を作用させることができ、この場合も、キープレート８５とシリンダ収容部４４の裏側開口部４４ｂとの係合解除を容易にして、キーシリンダ８０の取外し作業性を高めることができる。
【００６６】
また、この実施形態では、キープレート８５の押圧面８５ａは、ベース部材２０の開口２８に向けて配置されている（図１０参照）。この態様によれば、キーシリンダ８０を操作部材４０のシリンダ収容部４４から取外すべく、開口２８に解除具１００を挿入する際に、キープレート８５の押圧面８５ａを押圧しやすくして、キープレート８５を容易に押し込むことができ、キーシリンダ８０の取外し作業性をより高めることができる。
【００６７】
更に、この実施形態においては、図１４に示すように、キーシリンダ８０により、ロック部材５０のロック部１ｂに対するロック状態が解除され、かつ、把持部４２をベース部材２０から離反する方向に、操作部材４０を回動した状態で、キープレート８５の押圧面８５ａは、ベース部材２０の外側から、開口２８を通して視認可能とされている。この態様によれば、キーシリンダ８０を操作部材４０のシリンダ収容部４４から取外すべく、開口２８に解除具１００を挿入する際に、キープレート８５を視認しやすくすることができるので、キープレート８５を押し込みやすくすることができ、キーシリンダ８０の取外し作業性をより一層高めることができる。
【００６８】
また、この実施形態においては、キーシリンダ８０により、ロック部材５０のロック部１ｂに対するロック状態が解除され、かつ、把持部４２をベース部材２０から離反する方向に、操作部材４０を回動した状態において、ベース部材２０の外側であって、壁部２３の面方向に直交する方向から、図１４に示すように、前記開口２８を見たときに、開口２８の内側２８ａに、キープレート８５の押圧面８５ａの一部が位置するように構成されている。この態様によれば、キーシリンダ８０を操作部材４０のシリンダ収容部４４から取外すべく、開口２８に解除具１００を挿入する際に、図１５に示すように、開口２８の内側２８ａを、解除具１００の挿入時のガイドや、キープレート８５の押圧面８５ａに押し込み力を作用させる際の当接部として、より利用しやすくすることができる。
【００６９】
更に、この実施形態では、キーシリンダ８０により、ロック部材５０のロック部１ｂに対するロック状態が解除され、かつ、把持部４２をベース部材２０から離反する方向に、操作部材４０を回動した状態において、図１４に示すように、ベース部材２０の外側から開口２８を見たときに、凸部４７の一側面４７ａと、開口２８の内側２８ａとの間に、キープレート８５が位置するように構成されている。この態様によれば、キーシリンダ８０を操作部材４０のシリンダ収容部４４から取外すべく、開口２８に解除具１００を挿入する際に、開口２８の内側２８ａに加えて、凸部４７の一側面４７ａをガイドとして利用することができ、解除具１００の挿入時のガイド性をより高めることができる。
【００７０】
図２０〜２２には、本発明に係る開閉体のロック装置の、他の実施形態が示されている。なお、前記実施形態と実質的に同一部分には同符号を付してその説明を省略する。
【００７１】
図２０や図２２に示すように、この実施形態の開閉体のロック装置１０Ａ（以下、「ロック装置１０Ａ」）は、ベース部材２０のキー溝３１Ａや、キーシリンダ８０のキープレート８５の配置が、前記実施形態と異なっている。
【００７２】
すなわち、この実施形態におけるベース部材２０の底壁２１には、図２２に示すように、スライド溝２１ａの幅方向中央から、細溝状のキー溝３１Ａが、底壁２１の長手方向一端側に向けて形成されており、また、キー溝３１Ａの、長手方向他端側に、キー当接部３２Ａが設けられている。
【００７３】
そして、図２２（ａ）に示すように、キー突起８４が、キー溝３１Ａの延長線上に位置している場合には、把持部４２をベース部材２０から離反する方向に、操作部材４０を回動させることができ、ロック部材５０によるロック部１ｂに対するロック状態を解除可能となる。一方、図２２（ｂ）に示すように、キー突起８４が、キー当接部３２Ａに近接した状態では、操作部材４０の回動が規制されて、ロック部材５０によるロック部１ｂに対するロック状態が維持される。
【００７４】
また、図２０に示すように、キープレート８５の外周の押圧面８５ａは、ベース部材２０の開口２８に向けて配置されており、ベース部材２０の外側であって、壁部２３の面方向に直交する方向から、前記開口２８を見たときに、開口２８の内側２８ａに、キープレート８５の押圧面８５ａの一部が位置する。ただし、この実施形態のロック装置１０Ａの場合、前記実施形態のロック装置１０に比べて、開口２８の開口面積に対する、キープレート８５の押圧面８５ａの占有面積が大きくなっている（図２０参照）。
【００７５】
そして、この実施形態のロック装置１０Ａにおいても、前記実施形態のロック装置１０と同様の作用効果を奏する。また、この実施形態のロック装置１０Ａでは、上述したように、ロック装置１０に比べて、開口２８の開口面積に対する、キープレート８５の押圧面８５ａの占有面積が大きいので、解除具１００でキープレート８５を押し込みやすくなるという効果を得ることができる。
【００７６】
図２３及び図２４には、本発明に係る開閉体のロック装置の、更に他の実施形態が示されている。なお、前記実施形態と実質的に同一部分には同符号を付してその説明を省略する。
【００７７】
この実施形態の開閉体のロック装置１０Ｂ（以下、「ロック装置１０Ｂ」）は、ベース部材２０のキー溝３１Ｂや、キーシリンダ８０のキープレート８５の配置が、前記実施形態と異なっている。
【００７８】
すなわち、この実施形態におけるベース部材２０の底壁２１には、図２４に示すように、スライド溝２１ａの長手方向他端側であって、その幅方向中央に、キー当接部３２Ｂが突設されている。また、スライド溝２１ａの長手方向他端部であって、キー当接部３２Ｂに隣接した位置に、短小溝状をなしたキー溝３１Ｂが形成されている。
【００７９】
そして、図２４（ａ）に示すように、キー突起８４が、キー溝３１Ｂに位置している場合には、把持部４２をベース部材２０から離反する方向に、操作部材４０を回動させることができ、ロック部材５０によるロック部１ｂに対するロック状態を解除可能となる。一方、図２４（ｂ）に示すように、キー突起８４が、キー当接部３２Ｂに近接した状態では、操作部材４０の回動が規制されて、ロック部材５０によるロック部１ｂに対するロック状態が維持される。
【００８０】
また、図２３に示すように、この実施形態におけるキープレート８５の押圧面８５ａは、ベース部材２０の開口２８とは反対方向に向けて配置されている。
【００８１】
なお、この実施形態における解除具１００は、先端部１０１が鉤爪状に屈曲した形状をなしている。そして、キーシリンダ８０を操作部材４０のシリンダ収容部４４から取外したい場合には、開口２８に解除具１００を挿入した後、ベース部材２０のシリンダ配置空間２５内において、解除具１００の先端部１０１をキープレート８５の押圧面８５ａに引き掛ける。その状態で、解除具１００を、開口２８への挿入方向とは反対側に引き戻すことによって（図２３の矢印参照）、キープレート８５を付勢力に抗して押し込んで、シリンダ収容部４４の裏側開口部４４ｂに係合しない方向に引き込ませて、キープレート８５とシリンダ収容部４４の裏側開口部４４ｂとの係合を解除することができ、シリンダ収容部４４からキーシリンダ８０を取外すことができる。
【００８２】
なお、本発明は、上述した実施形態に限定されるものではなく、本発明の要旨の範囲内で、各種の変形実施形態が可能であり、そのような実施形態も本発明の範囲に含まれる。
【符号の説明】
【００８３】
１  固定体
１ａ  開口部
１ｂ  ロック部
２  開閉体
１０，１０Ａ，１０Ｂ  開閉体のロック装置（ロック装置）
２０  ベース部材
２３  壁部
２５  シリンダ配置空間
２８  開口
２８ａ  内側
２８ｂ  外側縁部
２８ｃ  内側縁部
２９  回動支持部
４０  操作部材
４１  基端部
４２  把持部
４４  シリンダ収容部
４４ｂ  裏側開口部
４７  凸部
４７ａ  一側面
５０  ロック部材
６０  回転部材
７０  第１付勢手段
７５  第２付勢手段
８０  キーシリンダ
８１  本体部
８５  キープレート
８５ａ  押圧面
１００  解除具
【図１】
0006985529.tif 000002
【図２】
0006985529.tif 000003
【図３】
0006985529.tif 000004
【図４】
0006985529.tif 000005
【図５】
0006985529.tif 000006
【図６】
0006985529.tif 000007
【図７】
0006985529.tif 000008
【図８】
0006985529.tif 000009
【図９】
0006985529.tif 000010
【図１０】
0006985529.tif 000011
【図１１】
0006985529.tif 000012
【図１２】
0006985529.tif 000013
【図１３】
0006985529.tif 000014
【図１４】
0006985529.tif 000015
【図１５】
0006985529.tif 000016
【図１６】
0006985529.tif 000017
【図１７】
0006985529.tif 000018
【図１８】
0006985529.tif 000019
【図１９】
0006985529.tif 000020
【図２０】
0006985529.tif 000021
【図２１】
0006985529.tif 000022
【図２２】
0006985529.tif 000023
【図２３】
0006985529.tif 000024
【図２４】
0006985529.tif 000025